(57)【要約】【課題】  色彩、模様に高級感を付与した眼鏡用フレームおよびそれを使用した眼鏡を提供する。【解決手段】  予め設けられた第１の画像模様と、該第１の画像模様の部分において枠取りされた部分内に第２の画像模様としてマニュアル法により、第１の画像模様の膜厚さに対し比較的に厚い５〜５００μｍ厚さの第２の画像模様を塗布されたことを特徴とし、前記第１の画像模様が印刷法により設けられ、また前記マニュアル法がシリンジによるディスペンサ法または筆による手塗法とし、また、前記第２の画像模様を塗布する塗料乃至インキが、粘度（ν）５〜２０（×１０-7ｍ2 ／ｓ）であり、前記第２の画像模様の表面が、皺状またはキャビティ状を呈するものとし、前記第１の画像模様または第２の画像模様の少なくとも１つの色彩が、金属粉、パール状粉または蛍光剤を混入した塗料乃至インキにより設けられた眼鏡フレーム、およびそれを使用した眼鏡。【選択図】      図１
2005062610.tif 000002
【特許請求の範囲】
【請求項１】
画像模様付きの眼鏡フレームであって、予め設けられた第１の画像模様と、該第１の画像模様の部分において枠取りされた部分内に第２の画像模様としてマニュアル法により、第１の画像模様の膜厚さに対し比較的に厚い５〜５００μｍ厚さの第２の画像模様を塗布されたことを特徴とする眼鏡用フレーム。
【請求項２】
前記第１の画像模様が印刷法により設けられ、また前記マニュアル法がシリンジによるディスペンサ法または筆による手塗法であることを特徴とする請求項１に記載の眼鏡フレーム。
【請求項３】
前記第２の画像模様を塗布する塗料乃至インキが、粘度（ν）５〜２０（×１０-7ｍ2 ／ｓ）であることを特徴とする請求項１または２に記載の眼鏡フレーム。
【請求項４】
前記第２の画像模様の表面が、皺状またはキャビティ状を呈することを特徴とする請求項１〜３のいずれか１項に記載の眼鏡フレーム。
【請求項５】
前記第１または／および第２の画像模様の色彩が、金属粉、パール状粉または蛍光剤を混入した塗料乃至インキにより設けられたことを特徴とする請求項１〜４のいずれか１項に記載の眼鏡フレーム。
【請求項６】
前記請求項１〜５のいずれか１項に記載の眼鏡フレームを有することを特徴とする眼鏡。
【発明の詳細な説明】
【技術分野】
【０００１】
本発明は、眼鏡用フレームおよびそれを使用した眼鏡に関するものである。
【背景技術】
【０００２】
従来、眼鏡用フレームは、そのファッション性を付与するために、形状や構成材料の工夫ばかりでなく、各種の色付けや模様付けが施されてきた。特に最近の眼鏡用フレームは色彩的にも、模様的にもよりファッショナブルな要素を要求されてきており、特に、高級感をもったものへとファッション性の幅が拡げられてきている。
【０００３】
最近はこれらの要求に応えるものとして、眼鏡用フレームに特殊な曲面印刷手法により多彩な模様を印刷することが行われている。（例えば、特許文献１参照）
しかしながら、従来の印刷法によりその外表面に印刷されたものや、フレーム材料そのものに模様的な着色材料で模様を構成したものは、その模様が２次元的な平坦模様であり、或る種の重量感をもつ高級イメージに若干欠けるものがあった。
眼鏡用フレームの色彩、模様等に重量感のある高級イメージを出そうとする色々な試みがなされている。、
【０００４】
【特許文献１】特開平１０−１２９１０４号公報（段落番号００１２、１〜５行）
【発明の開示】
【発明が解決しようとする課題】
【０００５】
前記のごとく、ファッション性があり高級感のある模様付けを施された眼鏡用フレーム、例えば、レンズ支持部材（通称、リム）、鼻掛け部材（通称、やま）、耳掛け部材（通称テンプル）、やまとテンプルとの連結部材（通称、智）等に、高級感をもつ模様が施されたものが強く要求されている。
本発明は、上記に鑑み、高級感に富む画像模様を有する眼鏡用フレームおよびそれを使用した眼鏡を提供することを目的としている。
【課題を解決するための手段】
【０００６】
本発明の眼鏡用フレームは、
１）画像模様付きの眼鏡フレームであって、予め設けられた第１の画像模様と、該第１の画像模様の部分において枠取りされた部分内に第２の画像模様としてマニュアル法により、第１の画像模様の膜厚さに対し比較的に厚い５〜５００μｍ厚さの第２の画像模様を塗布したものであり、
２）上述１）における第１の画像模様を印刷法により設け、またマニュアル法をシリンジによるディスペンサ法または筆による手塗法としたものであり、
３）上述１）またｈ２）において、前記第２の画像模様を塗布する塗料乃至インキを、粘度（ν）５〜２０（×１０-7ｍ2 ／ｓ）としたものであり、
４）上述の１）〜３）のいずれかにおいて、前記第２の画像模様の表面を、皺状またはキャビティ状としたものであり、
５）上述１）〜４）のいずれかにおいて、前記第２または／および第１の画像模様の色彩が、金属粉、パール状粉または蛍光剤を混入した塗料乃至インキにより設けられたものである。
【０００７】
また、本発明の眼鏡は、
６）上述の１）〜５）のいずれかに記載の眼鏡フレームを有することを特徴としたものである。
【発明の効果】
【０００８】
本発明は、画像模様付きの眼鏡フレームであって、予め設けられた第１の画像模様と、該第１の画像模様の部分において枠取りされた部分内に第２の画像模様としてマニュアル法により、第１の画像模様の膜厚さに対し比較的に厚い５〜５００μｍ厚さの第２の画像模様を塗布したもの、高級感のある色彩豊かなファッショナブルな眼鏡用フレームおよび眼鏡を提供することができる。
【発明を実施するための最良の形態】
【０００９】
本発明は、眼鏡フレームにおける画像模様に対して印刷インキにて印刷された画像では表現しにくい、質量感、盛り上がり感、色合い等を表現するために、マニュアル法により部分的に塗布するものである。マニュアル法にて塗布される部分は、予め印刷法、主にパッド法やスクリーン法により印刷インキにより印刷された第１の画像模様すなわち地模様により部分的に枠取りされた部分であり、この枠取りされた部分にシリンジ（注射器）または筆、へら等の塗装手段により第２の画像模様を印刷する。
【００１０】
この第２の画像模様により質量感、高級感を与えるのであって、第２の画像模様の厚さは、第１の画像模様に対して少なくとも、爪立ちする程度以上の厚みを有する必要がある。その塗布表面は必ずしも平らである必要はなく、むしろ凸状曲面に形成させたり、表面そのものを皺寄せ、キャビティ状等に構成することもできる。
このため、第２の画像の塗布に使用される塗料乃至インキは、塗布厚さを保持するためには、或る程度以上の粘度が必要であり、またシリンジにおける作業性の点からは、ある程度以下の粘度である必要がある。
多くの試行錯誤の試験の結果、その動粘度（ν）は５×１０-7ｍ2 ／ｓ〜２０×１０-7ｍ2 ／ｓであることが好ましいことがわかった。  ５×１０-7ｍ2 ／ｓ以下では盛り上がりが期待できず、むしろ中凹みの画像模様傾向になり思わしくない。また、２０×１０-7ｍ2 ／ｓ以上ではシリンジからの吐出に難が生じる。
【００１１】
第２の画像模様に使用する塗料乃至インキは、アクリル系、エポキシ系のものが好ましい。また、該塗料乃至インキに金色粉、銀色粉などの金属粉、パール状粉、蛍光剤等を混入し、より高いファッション性を期待することができる。また、同一眼鏡用フレーム中における第１の画像模様と第２の画像模様内、および両画像模様間の各色彩は、或程度のコントラストを形成させるものであることが好ましい。
このため、部分的に異なる粉体を混入した塗料乃至インキ（例えば金色と銀色）を複数組み合わせて塗布し、色彩的な面白さを与えることもできる。
【００１２】
本発明では、第１の画像模様により縁取りすることにより、また、シリンジによる作業により第２の画像模様の塗布を精密、且つ容易に実施することができる。
【実施例１】
【００１３】
図１は、本発明の実施例１における、１例の眼鏡を模式的に示す説明図である。
図２は、本実施例における、眼鏡用フレームの断面の１例を示す説明図である。
図において、１は眼鏡、２は眼鏡用フレーム、２１はレンズ支持部（リム）、２２は連結部（智）、２３は耳掛け部（テンプル）、２４は鼻掛け部（やま）、３１は第１の画像模様、３２は第２の画像模様、４はレンズである。
【００１４】
本実施例１の仕様は下記のようなものである。
眼鏡用フレーム：材料  チタン  一体形状
第１の画像模様：オフセット印刷（曲面印刷方式）、
焼付けタイプオフセット用印刷インキにより、ワインレッド色および、                黒色（主として縁取り部）の２色による色彩模様を印刷、
第２の画像模様：シリンジによるマニアル法、（動粘度  Ｒｓ  １０ｓｅｃ）
アクリル系インキに金色粉混入インキおよび銀色粉混入インキにより黒                色縁取り内を塗布、塗布厚さ約３０μｍ。
【００１５】
第１の画像模様を印刷後、焼き付けし、同黒色の枠取り内をシリンジにより金色インキ、および銀色インキにより色分け塗布した。乾燥冷却後、表面状態を目視により観察した。
観察の結果、色彩、模様は第２の画像模様部分が黒色枠取り模様より金色および銀色模様として浮かび上がりきわめてコントラストの良い、高級感のあるフレームの印象を呈している。また、気泡発生、外形状の変形等の不具合は全く認められなかった。
【００１６】
本発明の前記実施例は、本特許請求の範囲における実施例の一部を示すものであり、本特許請求の範囲において、他の実施を制限するものではない。
【産業上の利用可能性】
【００１７】
本発明は、各種形式の眼鏡における眼鏡用フレームに適用するものであるが、対象を眼鏡用フレーム以外の各種製品（例えば、装身具等）に応用することができ、印刷による画像に対し、質量感のある高級イメージを付与することができる。
【図面の簡単な説明】
【００１８】
【図１】本発明の実施例１における、１例の眼鏡を模式的に示す説明図である。
【図２】本実施例における、眼鏡用フレームの断面の１例を示す説明図である。
【符号の説明】
【００１９】
１    眼鏡
２    眼鏡用フレーム
２１  レンズ支持部（リム）
２２  連結部（智）
２３  耳掛け部（テンプル）
２４  鼻掛け部（やま）
３１  第１の画像模様
３２  第２の画像模様
４    レンズ。
【図１】
2005062610.tif 000003
【図２】
2005062610.tif 000004